(57)【要約】【課題】電子キーの電池の残量の低下をさらに抑制することにより、車載機器の制御をできるだけ長く行うことができる車両用通信制御システムを提供する。【解決手段】車両用通信制御システムは、電子キーとしての機能が搭載された携帯電話と、車両に搭載され、車載機器を制御する車載装置とを備える。携帯電話は、動作電源である二次電池の充電残量を検出する充電残量検出部と、その検出された充電残量を含むＩＤコード信号及び制御信号を送信するＵＨＦ送信部とを備える。車載装置は、リクエスト信号を送信する送信部と、ＩＤコード信号及び制御信号を受信する車載受信部とを備え、ＩＤコード信号及び制御信号に含まれる充電残量に応じて送信部から送信されるリクエスト信号の送信間隔を予め設定された送信間隔よりも長く設定する。【選択図】図２
2009275427.tif 000002
【特許請求の範囲】
【請求項１】
無線通信機能を有し、対応する車載装置から送信される応答要求信号を受信したことを条件として応答信号を送信する電子キーと、車両に搭載され、前記応答要求信号を車両室内外に送信するとともに、前記応答信号を受信したことを条件として対応する車載機器を制御する車載装置とを備えた車両用通信制御システムであって、
前記電子キーはその機能の動作モードとして、前記応答要求信号に対して前記応答信号を送信することによって自動的に前記車載装置に前記車載機器を制御させる自動制御モードと、使用者の手動操作によって一方的に制御信号を送信して前記車載装置に前記車載機器を制御させる手動制御モードとを有するとともに、
動作電源である電池の残量を検出する検出手段と、その検出された電池の残量を示す残量コードを含む前記応答信号及び前記制御信号を送信する携帯送信手段と、携帯制御手段とを備え、
前記車載装置は、前記応答要求信号を送信する車載送信手段と、前記応答信号及び前記制御信号を受信する車載受信手段と、前記応答信号及び前記制御信号に含まれる残量コードによって示される電池の残量が所定値以下である場合には同車載送信手段から送信される前記応答要求信号の送信間隔を予め設定された送信間隔よりも長く設定する車載制御手段とを備える
ことを特徴とする車両用通信制御システム。
【請求項２】
請求項１に記載の車両用通信制御システムにおいて、
前記車載制御手段は、前記制御信号に含まれる残量コードによって示される電池の残量が前記所定値よりも小さな値の第２所定値以下である場合には前記車載送信手段から送信される前記応答要求信号の送信を停止する
ことを特徴とする車両用通信制御システム。
【請求項３】
請求項２に記載の車両用通信制御システムにおいて、
前記応答要求信号の送信を停止している際に、前記電子キーから送信された前記制御信号を前記車載受信手段によって受信し、同制御信号に含まれる残量コードによって示される電池の残量が前記所定値より大きい場合には、前記車載制御手段は前記車載送信手段から送信される前記応答要求信号の送信を再開する
ことを特徴とする車両用通信制御システム。
【請求項４】
請求項１〜３のいずれか一項に記載の車両用通信制御システムにおいて、
前記携帯制御手段は、前記検出手段が検出した電池の残量が前記所定値からさらに低下し第２所定値以下である場合には前記自動制御モードによる前記応答要求信号の受信及び前記応答信号の送信を停止し、前記手動制御モードによってのみ前記車載機器の制御を可能とする
ことを特徴とする車両用通信制御システム。
【請求項５】
請求項１〜４のいずれか一項に記載の車両用通信制御システムにおいて、
前記携帯送信手段が送信する前記応答信号及び前記制御信号に含まれる残量コードは、前記電池の残量の値そのものではなくその値に応じて設定される簡易コードである
ことを特徴とする車両用通信制御システム。
【請求項６】
請求項１〜５のいずれか一項に記載の車両用通信制御システムにおいて、
前記電子キーは、携帯電話としての機能を搭載し、前記携帯制御手段は前記検出手段が検出した電池の残量が前記所定値以下である場合には、前記携帯電話としての機能を停止する
ことを特徴とする車両用通信制御システム。
【請求項７】
請求項１〜６のいずれか一項に記載の車両用通信制御システムにおいて、
前記携帯制御手段が携帯電話としての機能、又は電子キーとしての機能を制限すべきか否かの判断基準となる前記電池の残量の値は、前記電子キーを携帯する使用者が一定範囲内で変更可能である
ことを特徴とする車両用通信制御システム。
【請求項８】
請求項１〜７のいずれか一項に記載の車両用通信制御システムにおいて、
前記車載機器はドアロックであり、前記車載装置はドアロックの施解錠を行う
ことを特徴とする車両用通信制御システム。
【発明の詳細な説明】
【技術分野】
【０００１】
この発明は、無線通信機能を有する携帯機と、その携帯機との無線通信に基づいて車両を制御する車載装置とを備えた車両用通信制御システムに関する。
【背景技術】
【０００２】
近年、自動車においては、基本性能や安全性の向上はもとより、利便性の向上が求められている。そこで、こうした利便性の向上を目的として、従来、使用者によって所持される携帯機（電子キー）と車載装置との間で自動的に無線通信を行い、該無線通信が成立したことを条件としてドア錠の施解錠を自動的に行ったり、エンジンの始動を可能としたりする車両用通信制御システムが提案されている（特許文献１参照。）。
【０００３】
詳しくは、車載装置は、車両周辺や車両室内に無線信号からなる応答要求信号（リクエスト信号）を間欠的に送信する。車両周辺にリクエスト信号が送信される場合、リクエスト信号は車両周辺の所定領域（車外領域）に送信され、車両室内にリクエスト信号が送信される場合、リクエスト信号は車両室内の領域（室内領域）のみに送信され、車外には送信されないように設定されている。このため、通信機能を有する電子キーを所持した使用者（運転者）が車外領域や室内領域に進入すると、電子キーはリクエスト信号を受信するとともに、そのリクエスト信号に応答して自身に設定されたＩＤコードを含む応答信号（ＩＤコード信号）を返信する。車載装置は、このＩＤコード信号を受信し、自身に設定されたＩＤコードとＩＤコード信号に含まれるＩＤコードとの照合を行う。その結果、車載装置は、それらＩＤコード同士が一致した際に電子キーとの通信が成立したと判断し、該ＩＤコード信号が車外領域に送信したリクエスト信号に応答したものであればドア錠を自動的に解錠させ、該ＩＤコード信号が室内領域に送信したリクエスト信号に応答したものであればエンジンを始動可能な状態にする。すなわち、車載装置と電子キーとの間で自動的に相互通信が行われ、その相互通信が確立したことを条件としてドア錠が自動的に解錠されたり、エンジンが始動可能な状態となったりする。このため、ドアの施解錠やエンジンの始動に機械キーを用いるなどの煩雑な操作が不要となり、車両の操作性が向上する。また、電気的な照合に基づいて施解錠、エンジン始動が制御されるため、セキュリティレベルも向上する。
【特許文献１】特開２００１‐３１１３３３号公報
【発明の開示】
【発明が解決しようとする課題】
【０００４】
ところで、上記電子キーは、電源としての電池の残量が減少した場合には、車載装置から送信されたリクエスト信号に応答してＩＤコード信号を送信することができなくなり、ひいては車載機器である、例えばドアロックの施解錠やエンジンの始動を行わせることができなくなる。
【０００５】
また、近年では携帯電話が普及していることもあって、電子キーとしての機能を搭載した携帯電話を用いた通信制御システムが提案されている。このように電子キーとしての機能が搭載された携帯電話においては、無線通信基地局等のネットワークを介して通話やデータ通信を累積して長時間行った場合には電源としての電池が著しく減少してしまうおそれがある。このような場合には、上記と同様に携帯電話は車載装置との相互通信を行うことができなくなり、ひいては車載機器の制御を行わせることができなくなる。
【０００６】
そこで、電池の残量の低下を抑制することにより、車載機器の制御をできるだけ長く行うことができる車両用通信制御システムが求められていた。
この発明は、こうした実情に鑑みてなされたものであり、その目的は、電子キーの電池の残量の低下を抑制することにより、車載機器の制御をできるだけ長く行うことができる車両用通信制御システムを提供することにある。
【課題を解決するための手段】
【０００７】
以下、上記目的を達成するための手段及びその作用効果について説明する。
請求項１に記載の発明は、無線通信機能を有し、対応する車載装置から送信される応答要求信号を受信したことを条件として応答信号を送信する電子キーと、車両に搭載され、前記応答要求信号を車両室内外に送信するとともに、前記応答信号を受信したことを条件として対応する車載機器を制御する車載装置とを備えた車両用通信制御システムであって、前記電子キーはその機能の動作モードとして、前記応答要求信号に対して前記応答信号を送信することによって自動的に前記車載装置に前記車載機器を制御させる自動制御モードと、使用者の手動操作によって一方的に制御信号を送信して前記車載装置に前記車載機器を制御させる手動制御モードとを有するとともに、動作電源である電池の残量を検出する検出手段と、その検出された電池の残量を示す残量コードを含む前記応答信号及び前記制御信号を送信する携帯送信手段と、携帯制御手段とを備え、前記車載装置は、前記応答要求信号を送信する車載送信手段と、前記応答信号及び前記制御信号を受信する車載受信手段と、前記応答信号及び前記制御信号に含まれる残量コードによって示される残量が所定値以下である場合には同車載送信手段から送信される前記応答要求信号の送信間隔を予め設定された送信間隔よりも長く設定する車載制御手段とを備えることをその要旨としている。
【０００８】
同構成によれば、電子キーの携帯送信手段から送信される応答信号及び制御信号に電池の残量を示す残量コードを含ませている。そして、車載装置の車載制御手段は、受信した応答信号又は制御信号に含まれる残量コードによって示される電池の残量に応じて車載送信手段から送信される応答要求信号の送信間隔を予め設定された送信間隔よりも長く設定する。このため、一定時間における応答要求信号の受信回数が少なくなることにより電子キーは応答要求信号を受信することによる電池の消費を抑制できるとともに、応答要求信号に応じて応答信号を送信することによる電池の消費を抑制できる。
【０００９】
よって、電子キーの電池の残量が所定値以下において、電池の残量の低下を抑制することにより、車載機器の制御をできるだけ長く行うことができる。
請求項２に記載の発明は、請求項１に記載の車両用通信制御システムにおいて、前記車載制御手段は、前記制御信号に含まれる残量コードによって示される電池の残量が前記所定値よりも小さな値の第２所定値以下である場合には前記車載送信手段から送信される前記応答要求信号の送信を停止することをその要旨としている。
【００１０】
同構成によれば、電子キーの残量が所定値からさらに低下し第２所定値以下になった場合には、電子キーは応答要求信号の受信及び応答信号の送信を停止する、すなわち手動制御モードよりも電池を消費する自動制御モードでの動作を停止する。よって、電子キーを携帯する使用者が車載機器を制御したいときにのみ、携帯送信手段によって制御信号を送信するため、電池の充電残量の低下を抑制することができるとともに、電子キーとしての機能として車載機器の制御を行うことができる状態を長時間維持することができる。
【００１１】
請求項３に記載の発明は、請求項２に記載の車両用通信制御システムにおいて、前記応答要求信号の送信を停止している際に、前記電子キーから送信された前記制御信号を前記車載受信手段によって受信し、同制御信号に含まれる残量コードによって示される電池の残量が前記所定値より大きい場合には、前記車載制御手段は前記車載送信手段から送信される前記応答要求信号の送信を再開することをその要旨としている。
【００１２】
同構成によれば、応答要求信号の送信を停止している際に、制御信号に含まれる残量コードによって示される電池の残量が所定値より大きい場合には、一次電池であれば交換が、二次電池であれば充電が行われたと判断することができるため、車載制御手段は車載送信手段から送信される応答要求信号の送信を再開する。このため、一旦応答要求信号の送信が停止された際に、車載装置に対して何らかの操作をしなくとも、電子キーからの制御信号に基づいて自動で応答要求信号の送信を再開することができる。
【００１３】
請求項４に記載の発明は、請求項１〜３のいずれか一項に記載の車両用通信制御システムにおいて、前記携帯制御手段は、前記検出手段が検出した電池の残量が前記所定値より小さな値の第２所定値以下である場合には前記自動制御モードによる前記応答要求信号の受信及び前記応答信号の送信を停止し、前記手動制御モードによってのみ前記車載機器の制御を可能とすることをその要旨としている。
【００１４】
電子キーにおいて、自動制御モードの消費電流に比べ、一方的に制御信号を送信して車載機器を制御させる手動制御モードにおいて使用される消費電流（手動制御モードの消費電流）はさらに大幅に少ない。
【００１５】
そこで、上記構成によれば、受信した制御信号に含まれる残量コードによって示される電池の残量が第２所定値以下である場合には、車載装置の車載制御手段は車載送信手段から送信される応答要求信号の送信を停止する。このため、電子キーが応答要求信号の受信を停止しているのに併せて無意味な応答要求信号の送信を行わずに済むとともに、車載装置の暗電流を低減することができる。なお、暗電流とは、車両の走行駆動源が停止状態において、消費される電流をいう。よって、電子キーの電池の消費を抑制できるとともに、車両のバッテリの消耗を抑制することができる。
【００１６】
請求項５に記載の発明は、請求項１〜４のいずれか一項に記載の車両用通信制御システムにおいて、前記携帯送信手段が送信する前記応答信号及び前記制御信号に含まれる残量コードは、前記電池の残量の値そのものではなくその値に応じて設定される簡易コードであることをその要旨としている。
【００１７】
例えば、同構成を請求項１に適用した場合には、残量コードは電池の残量の値そのものではなく所定値を基準として、そのときの電池の残量に応じた簡易コードが選択される。例えば、電池の残量が所定値より大きい範囲Ａに相当する簡易コード、所定値以下である範囲Ｂに相当する簡易コードが選択される。また、請求項２に適用した場合には、電池の残量が第２所定値より大きく所定値以下である範囲Ｂに相当する簡易コード、電池の残量が第２所定値以下である範囲Ｃに相当する簡易コードが選択される。このため、残量コードとして電池の残量の値そのものであれば事細かな値を応答信号及び制御信号に含めなければならないが、簡易コードであれば情報量を抑制して容易に応答信号及び制御信号に含めることができる。
【００１８】
請求項６に記載の発明は、請求項１〜５のいずれか一項に記載の車両用通信制御システムにおいて、前記電子キーは、携帯電話としての機能を搭載し、前記携帯制御手段は前記検出手段が検出した電池の残量が前記所定値以下である場合には、前記携帯電話としての機能を停止することを要旨としている。
【００１９】
携帯電話としての機能を備えた電子キーにおいて、通常の携帯電話としての機能、すなわち通話やデータ通信に使用される消費電流（携帯電話機能の消費電流）に比べ、車両と相互通信を行って車載機器を制御させる自動制御モードにおいて使用される消費電流（自動制御モードの消費電流）は大幅に少ない。
【００２０】
そこで、上記構成によれば、携帯制御手段は電池の残量が所定値以下になった場合には著しく電池を消費する携帯電話としての機能を停止するため、電池の残量の極度の低下を抑制することができるとともに、電子キーとしての機能として車載機器の制御を行うことができる状態を長時間維持することができる。なお、所定値は、通常の携帯電話としての機能及び電子キーとしての機能の動作可能期間のバランスを考慮して設定される。
【００２１】
請求項７に記載の発明は、請求項１〜６のいずれか一項に記載の車両用通信制御システムにおいて、前記携帯制御手段が前記携帯電話の携帯電話としての機能、又は電子キーとしての機能を制限すべきか否かの判断基準となる前記電池の残量の値は、前記電子キーを携帯する使用者が一定範囲内で変更可能であることをその要旨としている。
【００２２】
同構成によれば、所定値及び第２所定値は、電子キーを携帯する使用者が一定範囲内で変更可能であるため、例えば、車載機器の制御をできる限り長時間行えるようにしたければ、第２所定値を大きめにすることによって対応することができる。さらに、携帯電話としての機能を犠牲にしてでも、車載機器の制御をさらに長時間行えるようにしたければ、所定値を大きくすることによって対応することができる。
【００２３】
請求項８に記載されるように、前記車載機器としてはドアロックがあり、前記車載装置は携帯電話との無線通信を通じてドアロックの施解錠を行う。
【発明の効果】
【００２４】
本発明によれば、電子キーの電池の残量の低下をさらに抑制することにより、車載機器の制御をできるだけ長く行うことができる車両用通信制御システムを提供することができる。
【発明を実施するための最良の形態】
【００２５】
以下、本発明にかかる車両用通信制御システムの一実施形態について図１〜図７を参照して説明する。本実施形態の車両用通信制御システムでは、電子キーの機能が搭載された携帯電話１０を用いる。
【００２６】
図１に示されるように、車両用通信制御システム１は、車両３の運転者によって所持される電子キーの機能が搭載された携帯電話１０と、車両３に配設された車載装置３０とを備えている。携帯電話１０と車載装置３０との間で自動的に相互通信が行われ、その相互通信が確立したことを条件として車載機器としてのドア錠の施解錠やエンジンの始動が制御される。
【００２７】
＜携帯電話１０の構成＞
携帯電話１０には、無線基地局等のネットワークを介して通話やデータ通信を行う際に作動する電話機能部１１と、無線通信機能を有し、車載装置３０と相互通信を行い、車載機器の制御を行う電子キーとして機能する電子キー機能部２０とが備えられている。また、携帯電話１０には、これら電話機能部１１と電子キー機能部２０とに電源を供給する動作電源としての二次電池１５と、その二次電池１５の充電残量を検出する検出手段として機能し、この検出した充電残量を電話機能部１１及び電子キー機能部２０の後述する各制御部へ出力する充電残量検出部１６とが備えられている。
【００２８】
電話機能部１１には、ＣＰＵ、ＲＯＭ、ＲＡＭ等からなるコンピュータユニットによって構成された端末制御部１２と、その端末制御部１２に電気的に接続され、各種データの送受信を行う電話機能送受信部１３とが備えられている。端末制御部１２は、携帯電話１０の操作ボタン１４が通話操作されると、電話機能送受信部１３を介して通話制御を行うとともに、携帯電話１０の操作ボタン１４がデータ通信操作されると、電話機能送受信部１３を介してデータ通信制御を行う。
【００２９】
電子キー機能部２０には、ＣＰＵ、ＲＯＭ、ＲＡＭ等からなるコンピュータユニットによって構成された電子キー制御部２１と、その電子キー制御部２１に電気的に接続された携帯受信手段としてＬＦ帯の信号を受信可能なＬＦ受信部２２と、携帯送信手段としてＵＨＦ帯の信号を送信可能なＵＨＦ送信部２３と、車両３のドア錠の施解錠を行う解錠ボタン２４及び施錠ボタン２５とが備えられている。
【００３０】
ＬＦ受信部２２は、車載装置３０から送信される応答要求信号（リクエスト信号Ｓｒｑ）を受信すると、同リクエスト信号Ｓｒｑをパルス信号に復調し、復調された復調信号を電子キー制御部２１へ出力する。電子キー制御部２１には例えばＥＥＰＲＯＭ等からなる不揮発性のメモリ２１ａが設けられ、そのメモリ２１ａには予め設定された固有のＩＤコードが登録されている。電子キー制御部２１は、ＬＦ受信部２２から復調信号が入力されると、受信データを読み取るとともに、メモリ２１ａに登録されたＩＤコードを含む応答信号としてのＩＤコード信号ＳｉｄをＵＨＦ送信部２３へ出力する。また、電子キー制御部２１は、携帯電話１０に設けられた解錠ボタン２４及び施錠ボタン２５が操作された場合には、メモリ３１ａに登録されたＩＤコードを含む制御信号（解錠要求信号Ｓｄｏ又は施錠要求信号Ｓｄｃ）をＵＨＦ送信部２３へ出力する。このとき、電子キー制御部２１は、充電残量検出部１６から出力された充電残量に応じた充電残量コードとしての簡易コードＣｒａ，Ｃｒｂ，Ｃｒｃ，ＣｒｄをＩＤコード信号Ｓｉｄ、解錠要求信号Ｓｄｏ、又は施錠要求信号Ｓｄｃに含ませてＵＨＦ送信部２３へ出力する。ＵＨＦ送信部２３は、電子キー制御部２１からＩＤコード信号Ｓｉｄ、解錠要求信号Ｓｄｏ、又は施錠要求信号Ｓｄｃが入力されると、所定周波数（ＵＨＦ帯）の無線信号に変調して送信する。なお、端末制御部１２と電子キー制御部２１によって携帯制御手段を構成する。
【００３１】
ここで、電子キー機能部２０は、車載装置３０から送信されるリクエスト信号Ｓｒｑに対してＩＤコード信号Ｓｉｄを自動的に送信するという、車載装置３０との間の相互通信によって車載機器としてのドア錠等を制御させる自動制御モードと、使用者の手動操作によって一方的に解錠要求信号Ｓｄｏ及び施錠要求信号Ｓｄｃを送信することによってドア錠を制御させる手動制御モードとを有する。
【００３２】
図２に示されるように、携帯電話１０は、二次電池１５の充電残量に応じて電話機能及び電子キー機能を制御する。詳しくは、充電残量検出部１６が二次電池１５の電圧を測定して、この測定した電圧を二次電池１５の充電残量として端末制御部１２及び電子キー制御部２１に逐次出力する。充電残量検出部１６は、二次電池１５の充電残量を示す符号である充電残量コードとしての簡易コードＣｒａ，Ｃｒｂ，Ｃｒｃ，Ｃｒｄを端末制御部１２及び電子キー制御部２１に逐次出力する。詳しくは、電圧レベル（充電残量）を判定する電圧閾値として、３つの電圧値、すなわちＶ１，Ｖ２，Ｖ３（Ｖ１＞Ｖ２＞Ｖ３）が設定されており、充電残量検出部１６は、二次電池１５の電圧が所定値Ｖ１より大きい範囲Ａに含まれる場合には、その旨を示す簡易コードＣｒａ、二次電池１５の電圧が第２所定値Ｖ２より大きく所定値Ｖ１以下である範囲Ｂに含まれる場合には、その旨を示す簡易コードＣｒｂ、二次電池１５の電圧が第３所定値Ｖ３より大きく第２所定値Ｖ２以下である範囲Ｃに含まれる場合には、その旨を示す簡易コードＣｒｃ、二次電池１５の電圧が第３所定値Ｖ３以下である範囲Ｄに含まれる場合には、その旨を示す簡易コードＣｒｄを端末制御部１２及び電子キー制御部２１へ出力する。
【００３３】
携帯電話１０において、携帯電話としての機能、すなわち通話やデータ通信に使用される消費電流（携帯電話機能の消費電流）に比べ、車両３と相互通信を行って車載機器としてのドア錠等を制御させる自動制御モードにおいて使用される消費電流（自動制御モードの消費電流）は大幅に少ない。さらに、自動制御モードの消費電流に比べ、一方的に制御信号（解錠要求信号Ｓｄｏ及び施錠要求信号Ｓｄｃ）を送信して車載機器を制御させる手動制御モードにおいて使用される消費電流（手動制御モードの消費電流）はさらに大幅に少ない。
【００３４】
充電残量検出部１６から出力された二次電池１５の電圧が所定値Ｖ１より大きい場合、すなわち簡易コードＣｒａが入力された場合には、端末制御部１２及び電子キー制御部２１は通常通り動作を行う。すなわち、携帯電話１０は、通常の携帯電話としての機能（通話及びデータ通信）、並びに自動制御モード及び手動制御モードのいずれも有効とされる。
【００３５】
充電残量検出部１６から出力された二次電池１５の電圧が第２所定値Ｖ２より大きく所定値Ｖ１以下となった場合、すなわち簡易コードＣｒｂが入力された場合には、端末制御部１２は携帯電話としての機能を停止する。すなわち、使用者は携帯電話１０によって通話及びデータ通信をできなくなる。
【００３６】
また、充電残量検出部１６から出力された二次電池１５の電圧が第３所定値Ｖ３より大きく第２所定値Ｖ２以下（範囲Ｃ）になった場合、すなわち簡易コードＣｒｃが入力された場合には、電子キー制御部２１はＬＦ受信部２２による無線信号の受信と、ＵＨＦ送信部２３による無線信号の送信とを停止し、自動制御モードによる車載機器としてのドア錠の制御をできなくする。すなわち、使用者は車載機器としてのドア錠の制御を手動制御モードのみによって行うことができる。
【００３７】
さらに、充電残量検出部１６から出力された二次電池１５の電圧が第３所定値Ｖ３以下（範囲Ｄ）になった場合、すなわち簡易コードＣｒｄが入力された場合には、まもなく充電切れとなりすべての動作が行えなくなるため、端末制御部１２及び電子キー制御部２１は携帯電話としての機能及び電子キーとしての機能のすべてを完全に停止する。ここで、便宜上、第３所定値以下（範囲Ｄ）としたが、簡易コードＣｒｄが端末制御部１２及び電子キー制御部２１に入力された時点で、すべての機能を完全に停止するため、実際には第３所定値に基づいた制御となる。
【００３８】
二次電池１５の電圧の所定値Ｖ１は、使用者が範囲Ｘにおいて変更可能である。例えば、使用者が車載機器の自動制御モードをできるだけ長く利用できるようにしたければ、範囲Ｘにおいて範囲Ｂを広げるようにすれば、車載機器の自動制御モードをできるだけ長くすることができる。
【００３９】
また、二次電池１５の電圧の第２所定値Ｖ２は、使用者が範囲Ｙにおいて変更可能である。例えば、使用者が車両３に必ず乗り込むことができるようにしたければ、範囲Ｙにおいて範囲Ｃを広げるようにすれば、手動制御モードでドア錠の施解錠をできるだけ長くすることができる。
【００４０】
＜車載装置３０の構成＞
車載装置３０は、ＣＰＵ、ＲＯＭ、ＲＡＭ等からなるコンピュータユニットによって構成された前記ドア錠を含む各種の車載機器を制御する車載制御手段として機能する車載制御部３１と、その車載制御部３１に電気的に接続され、車両３の周囲にリクエスト信号Ｓｒｑを送信する車載送信手段として機能する車外送信部３２と、車両３の室内にリクエスト信号Ｓｒｑを送信する室内送信部３３と、携帯電話１０から送信されるＩＤコード信号Ｓｉｄ、解錠要求信号Ｓｄｏ、及び施錠要求信号Ｓｄｃを受信する車載受信手段としての車載受信部３４とを備えている。
【００４１】
車外送信部３２は、車載制御部３１からリクエスト信号Ｓｒｑが入力されると、そのリクエスト信号Ｓｒｑを所定周波数（ＬＦ帯）の無線信号に変調して、予め設定された間欠周期（送信間隔Ｔ１）で車外送信アンテナ３２ａを介して車両３の周辺の所定領域に送信する。室内送信部３３は、車載制御部３１からリクエスト信号Ｓｒｑが入力されると、そのリクエスト信号Ｓｒｑを所定周波数（ＬＦ帯）の無線信号に変調して、予め設定された間欠周期（送信間隔Ｔ１）で室内送信アンテナ３３ａを介して車両３の室内の所定領域に送信する。ここで、車外の送信領域と室内の送信領域とは、重複していない。
【００４２】
車載受信部３４は、受信アンテナ３４ａを介して携帯電話１０から送信される無線信号（ＩＤコード信号Ｓｉｄ、解錠要求信号Ｓｄｏ、及び施錠要求信号Ｓｄｃ）を受信すると、同無線信号をパルス信号に復調し、車載制御部３１へ出力する。
【００４３】
車載制御部３１は不揮発性のメモリ３１ａを備え、そのメモリ３１ａには対応する携帯電話１０に設定されたＩＤコードと同一のＩＤコードが登録されている。また、車載制御部３１には、アウトサイドドアハンドル（図示略）にそれぞれ設けられたドアハンドルセンサ４１及びロックスイッチ４２と、車両３の室内における運転席近傍に設けられた始動スイッチ４３と、ドアロック装置４４及びエンジン制御装置４５とが電気的に接続されている。なお、ドアロック装置４４は、ドア錠を自動的に施解錠する装置であり、車載制御部３１から解錠信号が入力されるとドア錠を解錠し、施錠信号が入力されるとドア錠を施錠するとともに、ドア錠の施解錠状態を示す施解錠状態信号を車載制御部３１へ出力する。エンジン制御装置４５は、図示しないセルモータに接続され、車載制御部３１から駆動信号が入力されると同セルモータを駆動して走行駆動源としてのエンジンを始動させるとともに、エンジンの駆動状態を示すエンジン状態信号を車載制御部３１へ出力する。このため、車載制御部３１は、施解錠状態信号やエンジン状態信号に基づいて、ドア錠の施解錠状態やエンジンの駆動状態を認識可能となる。
【００４４】
車載制御部３１は、入力されたＩＤコード信号Ｓｉｄ、解錠要求信号Ｓｄｏ、及び施錠要求信号Ｓｄｃのパルス信号に含まれる充電残量コードとしての簡易コードＣｒａ，Ｃｒｂ，Ｃｒｃ，Ｃｒｄを読み出し、この読み出したコードに示される携帯電話１０の二次電池１５の充電残量に応じてリクエスト信号Ｓｒｑの送信を制御する。
【００４５】
簡易コードＣｒａが入力された場合、すなわち二次電池１５の電圧が所定値Ｖ１より大きい範囲Ａに含まれる場合には、車載制御部３１は予め設定された通常の送信間隔Ｔ１で車外送信部３２及び室内送信部３３からリクエスト信号Ｓｒｑを送信する（図３（ａ）参照。）。
【００４６】
簡易コードＣｒｂが入力された場合、すなわち二次電池１５の電圧が第２所定値Ｖ２より大きく所定値Ｖ１以下の範囲Ｂに含まれる場合には、車載制御部３１は車外送信部３２及び室内送信部３３から送信するリクエスト信号Ｓｒｑを予め設定された送信間隔Ｔ１よりも長く設定して送信する。例えば、予め設定された送信間隔の倍の送信間隔Ｔ２に設定する（図３（ｂ）参照。）。
【００４７】
また、簡易コードＣｒｃが入力された場合、すなわち二次電池１５の電圧が第３所定値より大きく第２所定値Ｖ２以下の範囲Ｃに含まれる場合には、車載制御部３１は車外送信部３２及び室内送信部３３から送信するリクエスト信号Ｓｒｑを停止する（図３（ｃ）参照。）。よって、自動制御モードによる車載機器としてのドア錠の制御をできなくする。すなわち、使用者は携帯電話１０を通じて車載機器としてのドア錠の制御を手動制御モードのみによって行うことができる。
【００４８】
簡易コードＣｒｄが入力された場合、すなわち二次電池１５の電圧が第３所定値以下の範囲Ｄに含まれる場合には、車載制御部３１は車外送信部３２及び室内送信部３３から送信するリクエスト信号Ｓｒｑを停止する（図３（ｃ）参照。）。よって、携帯電話１０の全機能停止に併せて、無意味なリクエスト信号Ｓｒｑの送信を行わずに済む。そして、車載装置３０の暗電流を低減することができる。
【００４９】
車載制御部３１は、車外送信部３２及び室内送信部３３に対してリクエスト信号Ｓｒｑを間欠的にそれぞれ異なるタイミングで出力する。そして、車載制御部３１は、車外送信部３２及び室内送信部３３を通じて送信したリクエスト信号Ｓｒｑに応答して携帯電話１０から送信されたＩＤコード信号Ｓｉｄが車載受信部３４によって受信されると、そのＩＤコード信号Ｓｉｄに含まれるＩＤコードとメモリ３１ａに記録されたＩＤコードとの比較（ＩＤコード照合）を行う。この際、車載制御部３１は、携帯電話１０から送信されたＩＤコード信号Ｓｉｄが車外送信部３２、室内送信部３３のどちらから送信されたリクエスト信号Ｓｒｑに応答したものであるかに基づいて、携帯電話１０が車両３の周辺及び車両３の室内のいずれに存在するかを判断する。
【００５０】
車載制御部３１は、車両３の周辺においてＩＤコード照合が成立すると、携帯電話１０との相互通信が成立したと判断して、ドア錠解錠許可状態となる。そして、車載制御部３１は、この状態においてドアハンドルセンサ４１から、アウトサイドドアハンドルに対する人の接触を検出した旨の検出信号が入力されると、ドアロック装置４４に対して解錠信号を出力してドア錠を解錠させる。また、こうしたドア錠の解錠状態においてロックスイッチ４２から操作信号が入力されると、車載制御部３１は、ドアロック装置４４に対して施錠信号を出力してドア錠を施錠させる。ここで、解錠信号はドア錠を解錠する旨の指令信号であり、施錠信号はドア錠を施錠する旨の指令信号である。
【００５１】
車載制御部３１は、車両３の室内においてＩＤコード照合が成立すると、携帯電話１０との相互通信が成立したと判断して、エンジン始動許可状態となる。そして、車載制御部３１は、始動スイッチ４３から操作信号が入力されたことを条件として、エンジン制御装置４５に対して駆動信号を出力してエンジンを始動させる。換言すれば、車載制御部３１は、エンジン始動許可状態とならない限り、たとえ始動スイッチ４３から操作信号が入力されたとしてもエンジン制御装置４５に対して駆動信号を出力しない。
【００５２】
また、車載制御部３１は、車載受信部３４を通じて携帯電話１０から送信された制御信号としての解錠要求信号Ｓｄｏ又は施錠要求信号Ｓｄｃを受信した際には、ＩＤコード照合が成立すると、ドアロック装置４４に対して解錠信号を出力してドア錠を解錠させる、又は施錠信号を出力してドア錠を施錠させる。
【００５３】
次に、図４〜図７を併せ参照して、上記車両用通信制御システムの携帯電話１０及び車載装置３０の動作について携帯電話１０の充電残量（範囲Ａ、範囲Ｂ、範囲Ｃ、範囲Ｄ）毎に説明する。
【００５４】
＜充電残量（範囲Ａ）＞
図４に示されるように、この場合、携帯電話１０は、充電残量検出部１６によって二次電池１５の充電残量が範囲Ａであることを検出する（ステップＳ１０）。充電残量が所定値Ｖ１より大きい状態では、携帯電話としての機能及び電子キーとしての機能を問題なく動作できるので、通常通りの制御を行う。
【００５５】
車載装置３０は、車外送信部３２又は室内送信部３３を介してリクエスト信号Ｓｒｑを所定の周期Ｔ１で間欠的に送信する（ステップＳ１１）。携帯電話１０は、ＬＦ受信部２２を介して車載装置３０から送信されたリクエスト信号Ｓｒｑを受信すると、ＵＨＦ送信部２３を介してＩＤコード及び充電残量コード（簡易コードＣｒａ）を含むＩＤコード信号Ｓｉｄを送信する（ステップＳ１２）。
【００５６】
車載装置３０は、車載受信部３４を介して携帯電話１０から送信されたＩＤコード信号Ｓｉｄを受信すると、ＩＤコード照合を行い、ＩＤコード照合が成立すると車載機器の制御を行う（ステップＳ１３）。すなわち、車外においてＩＤコード照合が成立した場合には、車載装置３０はドア錠解錠許可状態となる。そして、車載装置３０は、ドアハンドルセンサ４１によりアウトサイドドアハンドルの操作を検出すると、ドア錠を解錠させる。室内においてＩＤコード照合が成立した場合には、車載装置３０はエンジン始動許可状態となる。そして、車載装置３０は、始動スイッチ４３への操作を検出すると、エンジンを始動させる。
【００５７】
車載装置３０は、ＩＤコード信号Ｓｉｄを受信すると、ＩＤコード信号Ｓｉｄに含まれる充電残量コードを読み出す（ステップＳ１４）。ここでは、簡易コードＣｒａを取得するため、車載装置３０は、リクエスト信号Ｓｒｑを予め設定された送信間隔Ｔ１で送信する。
【００５８】
＜充電残量（範囲Ｂ）＞
図５に示されるように、この場合、携帯電話１０は、充電残量検出部１６によって二次電池１５の充電残量が範囲Ｂであることを検出する（ステップＳ２０）。携帯電話１０は、取得した充電残量が範囲Ｂであるため、携帯電話としての機能（通話及びデータ通信）を停止する（ステップＳ２１）。
【００５９】
車載装置３０は、車外送信部３２又は室内送信部３３を介してリクエスト信号Ｓｒｑを間欠的に送信する（ステップＳ２２）。ここで、前回に携帯電話１０から送信されたＩＤコード信号Ｓｉｄ等によって取得した充電残量が範囲Ａであれば、リクエスト信号Ｓｒｑを送信間隔Ｔ１で送信し、充電残量が範囲Ｂであれば、リクエスト信号Ｓｒｑを送信間隔Ｔ２で送信する。
【００６０】
携帯電話１０は、ＬＦ受信部２２を介して車載装置３０から送信されたリクエスト信号Ｓｒｑを受信すると、ＵＨＦ送信部２３を介してＩＤコード及び充電残量コード（簡易コードＣｒｂ）を含むＩＤコード信号Ｓｉｄを送信する（ステップＳ２３）。
【００６１】
車載装置３０は、車載受信部３４を介して携帯電話１０から送信されたＩＤコード信号Ｓｉｄを受信すると、ＩＤコード照合を行い、ＩＤコード照合が成立すると車載機器の制御を行う（ステップＳ２４）。すなわち、車外においてＩＤコード照合が成立した場合には、車載装置３０はドア錠解錠許可状態となる。そして、車載装置３０は、ドアハンドルセンサ４１によりアウトサイドドアハンドルの操作を検出すると、ドア錠を解錠させる。室内においてＩＤコード照合が成立した場合には、車載装置３０はエンジン始動許可状態となる。そして、車載装置３０は、始動スイッチ４３への操作を検出すると、エンジンを始動させる。
【００６２】
車載装置３０は、ＩＤコード信号Ｓｉｄを受信すると、ＩＤコード信号Ｓｉｄに含まれる充電残量コードを読み出す（ステップＳ２５）。ここでは、簡易コードＣｒｂを取得するため、車載装置３０は、リクエスト信号Ｓｒｑを送信間隔Ｔ２に設定して送信する（ステップＳ２６）。
【００６３】
＜充電残量（範囲Ｃ）＞
図６に示されるように、この場合、携帯電話１０は、充電残量検出部１６によって二次電池１５の充電残量が範囲Ｃであることを検出する（ステップＳ３０）。携帯電話１０は、取得した充電残量が範囲Ｃであるため、携帯電話としての機能（通話及びデータ通信）の停止に加え、ＬＦ受信部２２によるリクエスト信号Ｓｒｑの受信を停止し（ステップＳ３１）、ＵＨＦ送信部２３によるＩＤコード信号Ｓｉｄの送信を停止する（ステップＳ３２）。
【００６４】
このような状態になると、自動的にドア錠の施解錠動作が行われないため、使用者によって携帯電話１０の解錠ボタン２４又は施錠ボタン２５が操作され、携帯電話１０はＵＨＦ送信部２３を介してＩＤコード及び充電残量コード（簡易コードＣｒｃ）を含む制御信号としての解錠要求信号Ｓｄｏ又は施錠要求信号Ｓｄｃを送信する（ステップＳ３３）。
【００６５】
車載装置３０は、車載受信部３４を介して携帯電話１０から送信された解錠要求信号Ｓｄｏ又は施錠要求信号Ｓｄｃを受信すると、ＩＤコード照合を行い、ＩＤコード照合が成立すると車載機器としてのドア錠の制御を行う（ステップＳ３４）。すなわち、車載装置３０はドア錠解錠許可状態となる。そして、車載装置３０は、ドアハンドルセンサ４１によりアウトサイドドアハンドルの操作を検出すると、ドア錠を解錠させる。
【００６６】
車載装置３０は、解錠要求信号Ｓｄｏ又は施錠要求信号Ｓｄｃを受信すると、解錠要求信号Ｓｄｏ又は施錠要求信号Ｓｄｃに含まれる充電残量コードを読み出す（ステップＳ３５）。ここでは、簡易コードＣｒｃを取得するため、車載装置３０は、リクエスト信号Ｓｒｑの送信を停止する（ステップＳ３６）。
【００６７】
＜充電残量（範囲Ｄ）＞
図７に示されるように、この場合、携帯電話１０は、充電残量検出部１６によって二次電池１５の充電残量が範囲Ｄであることを検出する（ステップＳ４０）。携帯電話１０は、取得した充電残量が範囲Ｄであるため、携帯電話としての機能及び電子キーとしての機能のすべてを完全に停止する（ステップＳ４１）。
【００６８】
車載装置３０は、事前に携帯電話１０の充電残量を取得することができている場合には、それぞれの残量に応じて上記のようにリクエスト信号Ｓｒｑの送信を制御する。しかしながら、事前に携帯電話１０の充電残量を取得することがなく、リクエスト信号Ｓｒｑに対するＩＤコード信号Ｓｉｄの受信が５日以上ない場合には、車載装置３０は、リクエスト信号Ｓｒｑを送信間隔Ｔ２で送信する（ステップＳ４２）。さらに、リクエスト信号Ｓｒｑに対するＩＤコード信号Ｓｉｄの受信が１４日以上ない場合には、車載装置３０は、リクエスト信号Ｓｒｑの送信を停止する（ステップＳ４３）。
【００６９】
次に、上記のように携帯電話１０の充電残量に応じて、リクエスト信号Ｓｒｑの送信を制御した後に、携帯電話１０が充電されて充電残量が範囲Ａとなった際の携帯電話１０及び車載装置３０の動作について説明する。
【００７０】
＜充電残量（範囲Ｂ→範囲Ａ）＞
図５に示されるように、携帯電話１０は、充電されて（ステップＳ５０）、充電残量検出部１６によって二次電池１５の充電残量が範囲Ａであることを検出する（ステップＳ５１）。携帯電話１０は、取得した充電残量が範囲Ａであるため、携帯電話としての機能及び電子キーとしての機能をすべて通常通りに動作する（ステップＳ５２）。
【００７１】
車載装置３０は、車外送信部３２又は室内送信部３３を介してリクエスト信号Ｓｒｑを送信間隔Ｔ２で送信する（ステップＳ５３）。
携帯電話１０は、ＬＦ受信部２２を介して車載装置３０から送信されたリクエスト信号Ｓｒｑを受信すると、ＵＨＦ送信部２３を介してＩＤコード及び充電残量コード（簡易コードＣｒａ）を含むＩＤコード信号Ｓｉｄを送信する（ステップＳ５４）。
【００７２】
車載装置３０は、車載受信部３４を介して携帯電話１０から送信されたＩＤコード信号Ｓｉｄを受信すると、ＩＤコード照合を行い、ＩＤコード照合が成立すると車載機器の制御を行う（ステップＳ５５）。
【００７３】
車載装置３０は、ＩＤコード信号Ｓｉｄを受信すると、ＩＤコード信号Ｓｉｄに含まれる充電残量コードを読み出す（ステップＳ５６）。ここでは、簡易コードＣｒａを取得するため、車載装置３０は、リクエスト信号Ｓｒｑを送信間隔Ｔ１に設定して送信する（ステップＳ５７）。
【００７４】
なお、携帯電話１０からリクエスト信号Ｓｒｑに対するＩＤコード信号Ｓｉｄではなく、制御信号としての解錠要求信号Ｓｄｏ又は施錠要求信号Ｓｄｃが送信された際には、解錠要求信号Ｓｄｏ又は施錠要求信号Ｓｄｃに含まれる充電残量コード（簡易コードＣｒａ）に応じてステップＳ５６及びステップＳ５７を行う。
【００７５】
＜充電残量（範囲Ｃ、範囲Ｄ→範囲Ａ）＞
図６及び図７に示されるように、携帯電話１０は、充電されて（ステップＳ６０，Ｓ７０）、充電残量検出部１６によって二次電池１５の充電残量が範囲Ａであることを検出する（ステップＳ６１，Ｓ７１）。携帯電話１０は、取得した充電残量が範囲Ａであるため、携帯電話としての機能及び電子キーとしての機能をすべて通常通りに動作する（ステップＳ６２，Ｓ７２）。
【００７６】
車載装置３０は、リクエスト信号Ｓｒｑの送信を停止しているため、自動的にドア錠の施解錠動作が行われない。このため、使用者によって携帯電話１０の解錠ボタン２４又は施錠ボタン２５が操作され、携帯電話１０はＵＨＦ送信部２３を介してＩＤコード及び充電残量コード（簡易コードＣｒａ）を含む制御信号としての解錠要求信号Ｓｄｏ又は施錠要求信号Ｓｄｃを送信する（ステップＳ６３，Ｓ７３）。
【００７７】
車載装置３０は、車載受信部３４を介して携帯電話１０から送信された解錠要求信号Ｓｄｏ又は施錠要求信号Ｓｄｃを受信すると、ＩＤコード照合を行い、ＩＤコード照合が成立すると車載機器としてのドア錠の制御を行う（ステップＳ６４，Ｓ７４）。
【００７８】
車載装置３０は、解錠要求信号Ｓｄｏ又は施錠要求信号Ｓｄｃを受信すると、ＩＤコード信号Ｓｉｄに含まれる充電残量コードを読み出す（ステップＳ６５，Ｓ７５）。ここでは、簡易コードＣｒａを取得するため、車載装置３０は、リクエスト信号Ｓｒｑを送信間隔Ｔ１に設定して送信を再開する（ステップＳ６６，７６）。
【００７９】
以上、説明した実施形態によれば、以下の作用効果を奏することができる。
（１）携帯電話１０のＵＨＦ送信部２３から送信されるＩＤコード信号Ｓｉｄ及び制御信号（解錠要求信号Ｓｄｏ、施錠要求信号Ｓｄｃ）に二次電池１５の充電残量を示す充電残量コードを含ませている。そして、車載装置３０の車載制御部３１は、受信したＩＤコード信号Ｓｉｄ又は制御信号（解錠要求信号Ｓｄｏ、施錠要求信号Ｓｄｃ）に含まれる充電残量コードによって示される充電残量に応じて車外送信部３２及び室内送信部３３から送信されるリクエスト信号Ｓｒｑの送信間隔を予め設定された送信間隔Ｔ１よりも長く設定する。このため、一定時間におけるリクエスト信号Ｓｒｑの受信回数が少なくなることにより携帯電話１０はリクエスト信号Ｓｒｑを受信することによる二次電池１５の消費を抑制できるとともに、リクエスト信号Ｓｒｑに応じてＩＤコード信号Ｓｉｄを送信することによる二次電池１５の消費を抑制できる。
【００８０】
よって、携帯電話１０の二次電池の充電残量が所定値Ｖ１以下において、二次電池１５の充電残量の低下を抑制することにより、ドア錠等の車載機器の制御をできるだけ長く行うことができる。
【００８１】
（２）携帯電話１０の充電残量が所定値からさらに低下し第２所定値Ｖ２以下になった場合には、携帯電話１０はリクエスト信号Ｓｒｑの受信及びＩＤコード信号Ｓｉｄの送信を停止する、すなわち手動制御モードよりも二次電池１５を消費する自動制御モードでの動作を停止する。よって、携帯電話１０を携帯する使用者がドア錠を制御したいときにのみ、ＵＨＦ送信部２３によって制御信号（解錠要求信号Ｓｄｏ、施錠要求信号Ｓｄｃ）を送信するため、二次電池１５の充電残量の低下を抑制することができるとともに、電子キーの機能としてドア錠の制御を行うことができる状態を長時間維持することができる。
【００８２】
（３）リクエスト信号Ｓｒｑの送信を停止している際に、制御信号（解錠要求信号Ｓｄｏ、施錠要求信号Ｓｄｃ）に含まれる充電残量コードによって示される充電残量が所定値Ｖ１より大きい場合には、充電が行われたと判断することができるため、車載制御部３１は車外送信部３２及び室内送信部３３から送信されるリクエスト信号Ｓｒｑの送信を再開する。このため、一旦リクエスト信号Ｓｒｑの送信が停止された際に、車載装置３０に対して何らかの操作をしなくとも、携帯電話１０からの制御信号（解錠要求信号Ｓｄｏ、施錠要求信号Ｓｄｃ）に基づいて自動でリクエスト信号Ｓｒｑの送信を再開することができる。
【００８３】
（４）受信した制御信号（解錠要求信号Ｓｄｏ、施錠要求信号Ｓｄｃ）に含まれる充電残量コードによって示される充電残量が第２所定値Ｖ２以下である場合には、車載装置３０の車載制御部３１は車外送信部３２及び室内送信部３３から送信されるリクエスト信号Ｓｒｑの送信を停止する。このため、携帯電話１０がリクエスト信号Ｓｒｑの受信を停止しているのに併せて無意味なリクエスト信号Ｓｒｑの送信を行わずに済むとともに、車載装置３０の暗電流を低減することができる。
【００８４】
（５）充電残量コードは充電残量の値そのものではなく所定値Ｖ１及び第２所定値Ｖ２に応じて選択される、充電残量が所定値Ｖ１より大きい範囲Ａに相当する簡易コードＣｒａ、充電残量が第２所定値Ｖ２より大きく所定値Ｖ１以下である範囲Ｂに相当する簡易コードＣｒｂ、充電残量が第３所定値Ｖ３より大きく第２所定値Ｖ２以下である範囲Ｃに相当する簡易コードＣｒｃ、充電残量が第３所定値Ｖ３以下である範囲Ｄに相当する簡易コードＣｒｄとする。このため、充電残量コードとして充電残量の値そのものであれば事細かな値を応答信号及び制御信号に含めなければならないが、簡易コードであれば情報量を抑制して容易に応答信号及び制御信号に含めることができる。
【００８５】
（６）携帯電話１０の端末制御部１２は二次電池１５の充電残量が所定値Ｖ１以下になった場合には著しく二次電池１５を消費する携帯電話としての機能を停止するため、二次電池１５の充電残量の極度の低下を抑制することができるとともに、電子キーの機能としてドア錠等の車載機器の制御を行うことができる状態を長時間維持することができる。
【００８６】
（７）二次電池１５の電圧の所定値Ｖ１は使用者が範囲Ｘにおいて変更可能であるとともに、二次電池１５の電圧の第２所定値Ｖ２は、使用者が範囲Ｙにおいて変更可能である。このため、使用者が車載機器の自動制御モードをできるだけ長く利用できるようにしたければ、範囲Ｘにおいて範囲Ｂを広げるようにすれば、車載機器の自動制御モードをできるだけ長くすることができる。また、使用者が車両３に必ず乗り込むことができるようにしたければ、範囲Ｙにおいて範囲Ｃを広げるようにすれば、手動制御モードでドア錠の施解錠をできるだけ長くすることができる。よって、使用者の要望に合わせることが可能である。
【００８７】
なお、上記実施形態は、これを適宜変更した以下の形態にて実施することができる。
・上記実施形態では、照合一致で車載機器を制御して（ステップＳ１３，Ｓ２４，Ｓ３４，Ｓ５５，Ｓ６４，Ｓ７４）、充電残量コードを取得し（ステップＳ１４，Ｓ２５，Ｓ３５，Ｓ５６，Ｓ６５，Ｓ７５）、リクエスト信号Ｓｒｑの送信を制御した（ステップＳ２６，Ｓ３６，Ｓ５７，Ｓ６６，Ｓ７６）。しかしながら、照合一致で充電残量コードを取得し、リクエスト信号Ｓｒｑの送信を制御して、車載機器を制御するようにしてもよい。また、照合一致で、車載機器を制御することと、充電残量コードを取得し、リクエスト信号Ｓｒｑの送信を制御することとを同時に行うようにしてもよい。
【００８８】
・上記実施形態では、使用者が一定範囲Ｘ，Ｙにおいて所定値Ｖ１及び第２所定値Ｖ２を変更できるようにしたが、予め設定された所定値Ｖ１及び第２所定値Ｖ２に固定するようにしてもよい。
【００８９】
・上記実施形態では、充電残量検出部１６は充電残量の値が所定値Ｖ１、第２所定値Ｖ２、及び第３所定値Ｖ３を基準として決定する範囲に該当する簡易コードＣｒａ，Ｃｒｂ，Ｃｒｃ，Ｃｒｄを充電残量コードとして出力したが、充電残量の値そのものを充電残量コードとして出力するようにしてもよい。
【００９０】
・上記実施形態では、車載装置３０がリクエスト信号Ｓｒｑの送信を停止している際に、携帯電話１０から送信された制御信号（解錠要求信号Ｓｄｏ、施錠要求信号Ｓｄｃ）に含まれる充電残量コードによって示される充電残量が所定値Ｖ１より大きい場合には、リクエスト信号Ｓｒｑの送信を再開するようにした。しかしながら、使用者が何らかの操作、例えば車両３に設けられた再開ボタンを操作することによってリクエスト信号Ｓｒｑの送信を再開するようにしてもよい。
【００９１】
・上記実施形態では、車載装置３０が携帯電話１０から送信された制御信号（解錠要求信号Ｓｄｏ、施錠要求信号Ｓｄｃ）に含まれる充電残量コードによって示される充電残量が第２所定値Ｖ２以下となった場合には、リクエスト信号Ｓｒｑの送信を停止するようにした。しかしながら、リクエスト信号Ｓｒｑの送信を停止してしまうと、リクエスト信号Ｓｒｑの送信を再開するための制御又は操作が必要となるため、これらの制御又は操作をなくして簡易にするならば、リクエスト信号Ｓｒｑの送信を停止しないようにしてもよい。
【００９２】
・上記実施形態では、車両用通信システムに電子キーとしての機能が搭載された携帯電話を用いたが、携帯機電話としての機能がない電子キーを用いるようにしてもよい。
・上記構成において、電池は二次電池に限らず、一次電池でもよい。
【図面の簡単な説明】
【００９３】
【図１】車両用通信制御システムの構成図。
【図２】携帯電話の二次電池の充電残量を示す図。
【図３】（ａ）（ｂ）（ｃ）車載装置から送信される応答要求信号の送信間隔を示す図。
【図４】携帯電話の二次電池の充電残量が範囲Ａであるときの携帯電話及び車載装置の動作を示すシーケンスチャート。
【図５】携帯電話の二次電池の充電残量が範囲Ｂであるときの携帯電話及び車載装置の動作を示すシーケンスチャート。
【図６】携帯電話の二次電池の充電残量が範囲Ｃであるときの携帯電話及び車載装置の動作を示すシーケンスチャート。
【図７】携帯電話の二次電池の充電残量が範囲Ｄであるときの携帯電話及び車載装置の動作を示すシーケンスチャート。
【符号の説明】
【００９４】
１…車両用通信制御システム、３…車両、１０…携帯電話、１１…電話機能部、１２…端末制御部、１３…電話機能送信部、１４…操作ボタン、１５…二次電池、１６…充電残量検出部、２０…電子キー機能部、２１…電子キー制御部、２１ａ…メモリ、２２…ＬＦ受信部、２３…ＵＨＦ送信部、２４…解錠ボタン、２５…施錠ボタン、３０…車載装置、３１…車載制御部、３１ａ…メモリ、３２…車外送信部、３２ａ…車外送信アンテナ、３３…室内送信部、３３ａ…室内送信アンテナ、３４…車載受信部、３４ａ…受信アンテナ、４１…ドアハンドルセンサ、４２…ロックスイッチ、４３…始動スイッチ、４４…ドアロック装置、４５…エンジン制御装置、Ａ，Ｂ，Ｃ，Ｄ，Ｘ，Ｙ…範囲、Ｃｒａ，Ｃｒｂ，Ｃｒｃ，Ｃｒｄ…簡易コード、Ｓｄｃ…解錠信号、Ｓｄｏ…施錠信号、Ｓｉｄ…ＩＤコード信号、Ｓｒｑ…リクエスト信号、Ｔ１，Ｔ２…送信間隔。
【図１】
2009275427.tif 000003
【図２】
2009275427.tif 000004
【図３】
2009275427.tif 000005
【図４】
2009275427.tif 000006
【図５】
2009275427.tif 000007
【図６】
2009275427.tif 000008
【図７】
2009275427.tif 000009